(57)【特許請求の範囲】
【請求項１】
携帯端末装置のディスプレイ及び画像表示装置に、画像データを分割して表示制御する画像表示制御サーバであって、
前記画像データを記憶する画像データ記憶手段と、
前記携帯端末装置のディスプレイへ分割した前記画像データを表示するために、前記携帯端末装置が備える画像撮像部の視野角に関する情報及び前記携帯端末装置の前記画像撮像部により撮像された撮像画像を含む、前記画像データに対する分割領域を定めるための携帯表示情報を前記携帯端末装置から受信する携帯表示情報受信手段と、
前記携帯表示情報受信手段により受信した携帯表示情報に含まれる前記視野角と、前記撮像画像と前記画像データ記憶手段に記憶した画像データとを比較した結果から、前記携帯端末装置と前記画像表示装置と、の距離を算出する距離算出手段と、
前記携帯表示情報受信手段により受信した前記携帯表示情報に含まれる前記撮像画像と前記画像データ記憶手段に記憶した画像データとを比較した結果から、前記携帯端末装置のディスプレイと前記画像表示装置と、の方位差を算出する方位差算出手段と、
前記距離算出手段によって算出した距離に対して前記方位差算出手段により算出した方位差によって調整した距離を用いて、前記画像データに対する分割領域のサイズを求める分割サイズ決定手段と、
前記分割サイズ決定手段によって前記調整した距離を用いて求めた分割サイズから、分割画像における分割領域を求める分割領域決定手段と、
前記分割領域決定手段によって求めた分割領域に基づいて、前記画像データから前記携帯端末装置に表示する分割画像を生成する分割画像生成手段と、
前記分割画像生成手段により生成された前記分割画像を、前記携帯端末装置に送信する分割画像送信手段と、
を備えることを特徴とする画像表示制御サーバ。
【請求項２】
前記画像表示装置へ表示する画像のサイズとするよう、前記画像データ記憶手段に記憶された画像データのサイズを変更するためのスケール値を記憶するスケール情報記憶手段を備え、
前記分割サイズ決定手段は、前記距離と、前記スケール情報記憶手段に記憶したスケール値と、を用いて、前記分割領域のサイズを求めることを特徴とする請求項１に記載の画像表示制御サーバ。
【請求項３】
前記携帯表示情報受信手段により受信した携帯表示情報は、前記携帯端末装置を視聴する携帯端末装置所持者の目から当該携帯端末装置のディスプレイまでの視距離を含み、
前記分割サイズ決定手段は、前記視距離と、前記距離と、前記スケール値と、を用いて、前記分割領域のサイズを求めることを特徴とする請求項２に記載の画像表示制御サーバ。
【請求項４】
前記携帯表示情報受信手段により受信した携帯表示情報は、前記携帯端末装置のディスプレイの表示サイズと、解像度と、を含み、
前記分割サイズ決定手段は、前記携帯端末装置のディスプレイの表示サイズと、前記視距離と、前記距離と、前記スケール値と、を用いて、前記分割領域のサイズを求め、
前記分割画像生成手段は、前記分割領域決定手段により決定した分割領域と、前記解像度と、を用いて、前記画像データから前記携帯端末装置に表示する分割画像を生成することを特徴とする請求項３に記載の画像表示制御サーバ。
【請求項５】
携帯端末装置と、画像表示装置と、前記携帯端末装置のディスプレイと前記画像表示装置に画像データを分割して表示制御する画像表示制御サーバと、から構成される画像表示制御システムであって、
前記画像表示制御サーバは、
前記画像データを記憶する画像データ記憶手段と、
前記携帯端末装置のディスプレイへ分割した前記画像データを表示するために、前記携帯端末装置が備える画像撮像部の視野角に関する情報及び前記携帯端末装置の前記画像撮像部により撮像された撮像画像を含む、前記画像データに対する分割領域を定めるための携帯表示情報を前記携帯端末装置から受信する携帯表示情報受信手段と、
前記携帯表示情報受信手段により受信した携帯表示情報に含まれる前記視野角と、前記撮像画像と前記画像データ記憶手段に記憶した画像データとを比較した結果から、前記携帯端末装置と前記画像表示装置と、の距離を算出する距離算出手段と、
前記携帯表示情報受信手段により受信した前記携帯表示情報に含まれる前記撮像画像と前記画像データ記憶手段に記憶した画像データとを比較した結果から、前記携帯端末装置のディスプレイと前記画像表示装置と、の方位差を算出する方位差算出手段と、
前記距離算出手段によって算出した距離に対して前記方位差算出手段により算出した方位差によって調整した距離を用いて、前記画像データに対する分割領域のサイズを求める分割サイズ決定手段と、
前記分割サイズ決定手段によって前記調整した距離を用いて求めた分割サイズから、分割画像における分割領域を求める分割領域決定手段と、
前記分割領域決定手段によって求めた分割領域に基づいて、前記画像データ記憶手段に記憶された前記画像データから前記携帯端末装置に表示する分割画像を生成する分割画像生成手段と、
前記分割画像生成手段により生成された前記分割画像を、前記携帯端末装置に送信する分割画像送信手段と、
を備え、
前記携帯端末装置は、
前記携帯表示情報を前記画像表示制御サーバに送信する携帯表示情報送信手段と、
前記分割画像送信手段により送信された前記分割画像を画像表示制御サーバから受信する分割画像受信手段と、
前記分割画像受信手段で受信した分割画像を表示する表示手段と、
を備えることを特徴とする画像表示制御システム。
【請求項６】
携帯端末装置のディスプレイと画像表示装置に、画像データを分割して表示制御する画像表示制御サーバの制御方法であって、
前記画像表示制御サーバは、
前記携帯端末装置のディスプレイへ分割した、前記画像データを記憶する画像データ記憶手段に記憶された前記画像データを表示するために、前記携帯端末装置が備える画像撮像部の視野角に関する情報及び前記携帯端末装置の前記画像撮像部により撮像された撮像画像を含む、前記画像データに対する分割領域を定めるための携帯表示情報を前記携帯端末装置から受信する携帯表示情報受信工程と、
前記携帯表示情報受信工程により受信した携帯表示情報に含まれる前記視野角と、前記撮像画像と前記画像データ記憶手段に記憶した画像データとを比較した結果から、前記携帯端末装置と前記画像表示装置と、の距離を算出する距離算出工程と、
前記携帯表示情報受信工程により受信した前記携帯表示情報に含まれる前記撮像画像と前記画像データ記憶手段に記憶した画像データとを比較した結果から、前記携帯端末装置のディスプレイと前記画像表示装置と、の方位差を算出する方位差算出工程と、
前記距離算出工程によって算出した距離に対して前記方位差算出工程により算出した方位差によって調整した距離を用いて、前記画像データに対する分割領域のサイズを求める分割サイズ決定工程と、
前記分割サイズ決定工程によって前記調整した距離を用いて求めた分割サイズから、分割画像における分割領域を求める分割領域決定工程と、
前記分割領域決定工程によって求めた分割領域に基づいて、前記画像データ記憶手段に記憶された前記画像データから前記携帯端末装置に表示する分割画像を生成する分割画像生成工程と、
前記分割画像生成工程により生成された前記分割画像を、前記携帯端末装置に送信する分割画像送信工程と、
を実行することを特徴とする画像表示制御サーバの制御方法。
【請求項７】
携帯端末装置のディスプレイと画像表示装置に、画像データを分割して表示制御する画像表示制御サーバで読み取り実行可能なプログラムであって、
前記画像表示制御サーバを、
前記携帯端末装置のディスプレイへ分割した、前記画像データを記憶する画像データ記憶手段に記憶した前記画像データを表示するために、前記携帯端末装置が備える画像撮像部の視野角に関する情報及び前記携帯端末装置の前記画像撮像部により撮像された撮像画像を含む、前記画像データに対する分割領域を定めるための携帯表示情報を前記携帯端末装置から受信する携帯表示情報受信手段と、
前記携帯表示情報受信手段により受信した携帯表示情報に含まれる前記視野角と、前記撮像画像と前記画像データ記憶手段に記憶した画像データとを比較した結果から、前記携帯端末装置と前記画像表示装置と、の距離を算出する距離算出手段と、
前記携帯表示情報受信手段により受信した前記携帯表示情報に含まれる前記撮像画像と前記画像データ記憶手段に記憶した画像データとを比較した結果から、前記携帯端末装置のディスプレイと前記画像表示装置と、の方位差を算出する方位差算出手段と、
前記距離算出手段によって算出した距離に対して前記方位差算出手段により算出した方位差によって調整した距離を用いて、前記画像データに対する分割領域のサイズを求める分割サイズ決定手段と、
前記分割サイズ決定手段によって前記調整した距離を用いて求めた分割サイズから、分割画像における分割領域を求める分割領域決定手段と、
前記分割領域決定手段によって求めた分割領域に基づいて、前記画像データ記憶手段に記憶された前記画像データから前記携帯端末装置に表示する分割画像を生成する分割画像生成手段と、
前記分割画像生成手段により生成された前記分割画像を、前記携帯端末装置に送信する分割画像送信手段と、
として機能させるためのプログラム。
【請求項８】
携帯端末装置と、画像表示装置と、前記携帯端末装置のディスプレイと前記画像表示装置に画像データを分割して表示制御する画像表示制御サーバと、から構成される画像表示制御システムの制御方法であって、
前記画像表示制御サーバは、
前記携帯端末装置のディスプレイへ分割した、前記画像データを記憶する画像データ記憶手段に記憶された前記画像データを表示するために、前記携帯端末装置が備える画像撮像部の視野角に関する情報及び前記携帯端末装置の前記画像撮像部により撮像された撮像画像を含む、前記画像データに対する分割領域を定めるための携帯表示情報を前記携帯端末装置から受信する携帯表示情報受信工程と、
前記携帯表示情報受信工程により受信した携帯表示情報に含まれる前記視野角と、前記撮像画像と前記画像データ記憶手段に記憶した画像データとを比較した結果から、前記携帯端末装置と前記画像表示装置と、の距離を算出する距離算出工程と、
前記携帯表示情報受信工程により受信した前記携帯表示情報に含まれる前記撮像画像と前記画像データ記憶手段に記憶した画像データとを比較した結果から、前記携帯端末装置のディスプレイと前記画像表示装置と、の方位差を算出する方位差算出工程と、
前記距離算出工程によって算出した距離に対して前記方位差算出工程により算出した方位差によって調整した距離を用いて、前記画像データに対する分割領域のサイズを求める分割サイズ決定工程と、
前記分割サイズ決定工程によって前記調整した距離を用いて求めた分割サイズから、分割画像における分割領域を求める分割領域決定工程と、
前記分割領域決定工程によって求めた分割領域に基づいて、前記画像データ記憶手段に記憶された前記画像データから前記携帯端末装置に表示する分割画像を生成する分割画像生成工程と、
前記分割画像生成工程により生成された前記分割画像を、前記携帯端末装置に送信する分割画像送信工程と、
を実行し、
前記携帯端末装置は、
前記携帯表示情報を前記画像表示制御サーバに送信する携帯表示情報送信工程と、
前記分割画像送信工程により送信された前記分割画像を画像表示制御サーバから受信する分割画像受信工程と、
前記分割画像受信工程で受信した分割画像を表示する表示工程と、
を実行することを特徴とする画像表示制御システムの制御方法。
【請求項９】
携帯端末装置と、画像表示装置と、前記携帯端末装置のディスプレイと前記画像表示装置に画像データを分割して表示制御する画像表示制御サーバと、から構成される画像表示制御システムで読取実行可能なプログラムあって、
前記画像表示制御サーバを、
前記携帯端末装置のディスプレイへ分割した、前記画像データを記憶する画像データ記憶手段に記憶された前記画像データを表示するために、前記携帯端末装置が備える画像撮像部の視野角に関する情報及び前記携帯端末装置の前記画像撮像部により撮像された撮像画像を含む、前記画像データに対する分割領域を定めるための携帯表示情報を前記携帯端末装置から受信する携帯表示情報受信手段と、
前記携帯表示情報受信手段により受信した携帯表示情報に含まれる前記視野角と、前記撮像画像と前記画像データ記憶手段に記憶した画像データとを比較した結果から、前記携帯端末装置と前記画像表示装置と、の距離を算出する距離算出手段と、
前記携帯表示情報受信手段により受信した前記携帯表示情報に含まれる前記撮像画像と前記画像データ記憶手段に記憶した画像データとを比較した結果から、前記携帯端末装置のディスプレイと前記画像表示装置と、の方位差を算出する方位差算出手段と、
前記距離算出手段によって算出した距離に対して前記方位差算出手段により算出した方位差によって調整した距離を用いて、前記画像データに対する分割領域のサイズを求める分割サイズ決定手段と、
前記分割サイズ決定手段によって前記調整した距離を用いて求めた分割サイズから、分割画像における分割領域を求める分割領域決定手段と、
前記分割領域決定手段によって求めた分割領域に基づいて、前記画像データ記憶手段に記憶された前記画像データから前記携帯端末装置に表示する分割画像を生成する分割画像生成手段と、
前記分割画像生成手段により生成された前記分割画像を、前記携帯端末装置に送信する分割画像送信手段と、
して機能させ、
前記携帯端末装置を、
前記携帯表示情報を前記画像表示制御サーバに送信する携帯表示情報送信手段と、
前記分割画像送信手段により送信された前記分割画像を画像表示制御サーバから受信する分割画像受信手段と、
前記分割画像受信手段で受信した分割画像を表示する表示手段と、
して機能させることを特徴とするプログラム。
【発明の詳細な説明】
【技術分野】
【０００１】
本発明は、画像を、複数のディスプレイに分割して表示する画像表示制御システムに関する。
【背景技術】
【０００２】
従来、複数のディスプレイを並べて配置し、表示制御装置により連携制御することで、複数のディスプレイを１つの巨大なディスプレイであるかのように画像データを表示する技術が提案されている。
【０００３】
特許文献１では、表示装置に広告を表示する電子看板（デジタルサイネージ）などの分野において、複数のディスプレイを連続的または断続的（実際にはディスプレイが配置されておらず画像が欠ける部分）に配置し、それを１つの仮想表示領域とし、仮想表示領域内の複数のディスプレイのサイズや解像度を考慮して画像を分割表示する技術が提案されている。
【先行技術文献】
【特許文献】
【０００４】
【特許文献１】特開２０１０−９７４９１号公報
【発明の開示】
【発明が解決しようとする課題】
【０００５】
特許文献１では、さらに前記複数のディスプレイの前にいる視聴者が所持している携帯端末にも画像の一部を分割して表示する技術を提供している。
【０００６】
しなしながら、特許文献１で提案される技術は、前記仮想表示領域を例えば１つの巨大な壁面などとし、また視聴者の携帯端末と壁面と距離については考慮しておらず、あるいは携帯端末を壁面上に置いた上での部分画像の表示を制御するものであり、例えばビルの上に設置されているディスプレイのような遠距離にあるディスプレイと、視聴者が所持している近距離にある携帯端末のディスプレイの距離関係などの要素を考慮していない。
【０００７】
本発明は、視聴者から遠距離にあるディスプレイに画像データの一部が表示されている場合であって、該遠距離にあるディスプレイに表示されている画像と、視聴者が所持する携帯端末のディスプレイに表示する画像が、連携して画像を構成するように全体の画像データの一部を切り取り携帯端末のディスプレイに表示させる技術の提供を課題とする。
【課題を解決するための手段】
【０００８】
本発明は、携帯端末装置のディスプレイ及び画像表示装置に、画像データを分割して表示制御する画像表示制御サーバであって、前記画像データを記憶する画像データ記憶手段と、前記携帯端末装置のディスプレイへ分割した前記画像データを表示するために、前記携帯端末装置が備える画像撮像部の視野角に関する情報及び前記携帯端末装置の前記画像撮像部により撮像された撮像画像を含む、前記画像データに対する分割領域を定めるための携帯表示情報を前記携帯端末装置から受信する携帯表示情報受信手段と、前記携帯表示情報受信手段により受信した携帯表示情報に含まれる前記視野角と、前記撮像画像と前記画像データ記憶手段に記憶した画像データとを比較した結果から、前記携帯端末装置と前記画像表示装置と、の距離を算出する距離算出手段と、前記携帯表示情報受信手段により受信した前記携帯表示情報に含まれる前記撮像画像と前記画像データ記憶手段に記憶した画像データとを比較した結果から、前記携帯端末装置のディスプレイと前記画像表示装置と、の方位差を算出する方位差算出手段と、前記距離算出手段によって算出した距離に対して前記方位差算出手段により算出した方位差によって調整した距離を用いて、前記画像データに対する分割領域のサイズを求める分割サイズ決定手段と、前記分割サイズ決定手段によって前記調整した距離を用いて求めた分割サイズから、分割画像における分割領域を求める分割領域決定手段と、前記分割領域決定手段によって求めた分割領域に基づいて、前記画像データから前記携帯端末装置に表示する分割画像を生成する分割画像生成手段と、前記分割画像生成手段により生成された前記分割画像を、前記携帯端末装置に送信する分割画像送信手段と、を備えることを特徴とする。
【発明の効果】
【０００９】
本発明によって、視聴者の所持する携帯端末と他のディスプレイまでが遠距離である場合でも、携帯端末のディスプレイに表示するのに適した画像を画像データ全体から切り出して表示させるため、携帯端末と他のディスプレイとの距離、方位にかかわらず連携した画像を視聴することが可能となる。
【図面の簡単な説明】
【００１０】
【図１】本発明の実施形態に関わる携帯端末装置、画像表示装置、および画像表示制御サーバを含むシステム構成の一例を示す図である。
【図２】画像表示制御サーバのハード構成の一例を示すブロック図である。
【図３】携帯端末装置のハード構成の一例を示すブロック図である。
【図４】携帯端末装置の外観の一例を示す図である。
【図５】本発明におけるに画像表示装置と携帯端末装置のディスプレイに表示される画像の関係の概念を示す図である。
【図６】画像表示制御サーバの機能ブロックの一例を示す図である。
【図７】画像表示装置における画像のサイズと、携帯端末装置のディスプレイのサイズと、距離の関係を説明するための図である。
【図８】画像表示装置における画像のサイズと、携帯端末装置のディスプレイのサイズと、視距離の関係を説明するための図である。
【図９】携帯端末装置のディスプレイに表示するための画像サイズを決定する処理を説明するための図である。
【図１０】画像表示装置と携帯端末装置の方位差を説明するための図である。
【図１１】携帯端末装置のディスプレイに表示する画像に遠近感を出すための斜変形処理を説明するための図である。
【図１２】第１実施形態において携帯端末装置に画像を表示する処理のフローチャートを示す図である。
【図１３】携帯端末装置による撮像画像と、携帯端末装置のディスプレイに表示する画像の関係の一例を説明するための図である。
【図１４】携帯端末装置による撮像画像に基づき画像表示装置と携帯端末装置の距離を算出する処理を説明するための図である。
【図１５】第２実施形態において携帯端末装置に画像を表示する処理のフローチャートを示す図である。
【発明を実施するための形態】
【００１１】
以下、本発明の実施の形態を、図面を参照して詳細に説明する。
〔第１実施形態〕
【００１２】
図１は、本発明の実施形態に関わる携帯端末装置、画像表示装置、および画像表示制御サーバを含むシステム構成の一例を示す図である。
【００１３】
携帯端末装置１０１は、ネットワーク１０４を介して画像表示制御サーバ１０２と接続し、後述の携帯端末装置の地理的現在位置や、ディスプレイサイズなどの情報を画像表示制御サーバ１０２に伝え、また画像表示制御サーバ１０２からは、携帯端末装置１０１のディスプレイに表示する画像を受け取る。
【００１４】
ネットワーク１０４のプロトコル、接続方式は如何なる方式でもよく、例えばインターネット、電話公衆回線で情報を伝達することができる。画像表示制御サーバ１０２から携帯端末装置１０１のディスプレイに表示する画像を送信する方法は、さらに所謂“ワンセグ”などの放送であってもよい。
【００１５】
画像表示装置１０３ａ〜１０３ｃは、画像表示制御サーバ１０２から表示画像を信号として受け取り表示する方式でもよい。この場合、１０５は画像信号を伝達するケーブルである。また、他の方式として、画像表示装置１０３ａ〜１０３ｃが各々不図示の情報処理装置に接続され、更に情報処理装置が画像表示制御サーバ１０２とＬＡＮなどの通信技術で接続され、情報処理装置と画像表示制御サーバ１０２が連携して表示制御を行って画像表示装置１０３ａ〜１０３ｃに適切な画像を表示してもよい。
【００１６】
図２は、画像表示制御サーバ１０２のハード構成の一例を示すブロック図である。ディスプレイ装置２０１と、入力デバイス２０２と、ＣＰＵ２０３と、ＲＡＭ２０４と、ＲＯＭ２０５と、外部記憶装置２０６と、ネットワーク・インタフェース２０７とを備える。
【００１７】
ＣＰＵ２０３は、ＲＯＭ２０５に記憶された制御プログラムを読み出して実行すると共に、情報処理装置を制御する。ＲＡＭ２０４は、データ等を一時記憶するためのバッファやワークエリア等として機能し、またＯＳを含む各種プログラムを実行する作業領域として使用される。
【００１８】
外部記憶装置２０６はハードディスクドライブ等の記憶装置であり、ＯＳやファイル管理システムのプログラムを含む各種プログラム及び各種データの短期的、永続的な記憶装置として使用される。
【００１９】
入力デバイス２０２は、キーボード、マウス等に代表されるユーザ入力機器であり、ディスプレイ装置２０１は情報処理装置の処理結果等を表示するための機器である。バス２０８は、上述した各部を互いに接続するシステムバスである。なお、画像表示制御サーバ１０２においては、ディスプレイ装置２０１および入力デバイス２０２は、必須なものではない。
【００２０】
図３は、携帯端末装置１０１のハード構成の一例を示すブロック図である。基本的には図２と同様であり、本発明の説明に必要な差異ある部分のみを説明する。
【００２１】
公衆回線インターフェース３０８は、携帯端末装置１０１が、携帯電話回線および携帯電話基地局を介して他の通信、通話装置と接続し、通信、通話することを可能とする。
【００２２】
方位センサ３０９は、例えば携帯端末装置１０１がどの方向を向いているかを示す方位をＸ軸、Ｙ軸、Ｚ軸の成分毎に検出することができる。ＧＰＳ３１０は、ＧＰＳ受信機能を備え、全地球測位システムを利用して、携帯端末装置１０１の現在位置の経度と緯度を算出する。
【００２３】
画像撮像部３１１は撮影レンズ及び撮像素子を備え、被写体像を捉えて画像データを形成する。形成された画像データは後述するＲＡＭ３０４に記憶できる。以上が、図３の説明である。
図４は、携帯端末装置の外観の一例を示す図である。
【００２４】
携帯端末装置の正面４０１は、操作パネル、ディスプレイ４０２などが配置される。また、背面４０６には画像撮像部の撮影レンズ４０５が配置されている。４０３、４０４は、ディスプレイの縦および横のサイズを表す。
【００２５】
図５は、本発明における画像表示装置と携帯端末装置のディスプレイに表示される画像の関係の概念を示す図である。いずれも遠距離に複数の画像表示装置１０３ａ〜１０３ｄが配置され、１つの画像（例では“魚およびその周辺”の画像）を表示している。前記画像は、複数の画像表示装置によって全体を表示できない場合があってもよい。
【００２６】
概念図の５０１は、前述の概念図を本発明に係わる携帯端末装置を所持する視聴者の背後から見た図である。仮想表示領域５０３は、画像表示制御サーバ１０２が管理している全体の表示領域である。１０３ａ〜１０３ｄの４台の画像表示装置が設置されている。４台の画像表示装置により仮想表示領域５０３全体は覆い尽くされていないため、画像表示制御サーバ１０２が管理している画像（“魚およびその周辺”）であっても、視聴者５０２からは見えない部分がある。
【００２７】
視聴者が所持している携帯端末装置１０１を、仮想表示領域５０３の方向に向けると、１０３ａ〜１０３ｄの４台の画像表示装置は、携帯端末装置１０１から遠距離にある画像表示装置であるにもかかわらず、連携して１つの画像を表示する。すなわち、携帯端末装置１０１のディスプレイが、１０３ａ〜１０３ｄの４台の画像表示装置と重なっているエリアでは画像の同じ部分が、重なっていないエリアでは連携して１つの画像になる部分が表示される（５０８）。
【００２８】
概念図の５１１は、視聴者５０２、携帯端末装置１０１、仮想表示領域５０３を上方から見た鳥瞰図である。黒い太線は画像表示装置を表しており、横方向に一直線上に並んで仮想表示領域５０３を構成しているが、あくまで例であり前後に離れていてもよい。
【００２９】
図６は、画像表示制御サーバの機能ブロックの一例を示す図である。
【００３０】
画像表示制御サーバ１０２は、携帯端末装置１０１から後述する情報を受信部６０３にて受信し、その情報に基づき画像生成・送信部６１０で、携帯端末装置１０１のディスプレイに表示させるために適した画像を生成し、該画像を携帯端末装置１０１に送信する。
【００３１】
携帯表示情報受信部６０４は、携帯端末装置１０１のディスプレイのサイズ、解像度など、ディスプレイの仕様を受信する。
【００３２】
視距離受信部６０５は、携帯端末装置１０１を所持している人物と携帯端末装置１０１の視距離を受信する。視距離とは、正確には前記人物の目と携帯端末装置１０１のディスプレイ間の距離になる。ただし、必ずしも前記人物の目と携帯端末装置１０１のディスプレイ間の距離が厳密に測定できるとは限らないため、正確な距離ではなくとも、即ち誤差があっても本発明において視距離として扱う。
【００３３】
地理的現在位置受信部６０６は、携帯端末装置１０１の地理的現在位置を受信する。携帯端末装置１０１は、例えば図３のＧＰＳ３１０により検出されるが他の方法であってもよい。例えば無線ＬＡＮの基地局、公衆回線の基地局などの位置に基づき検出する技術がある。またＧＰＳ３１０が使用できない建物内部などでは、建物に入る前に最後にＧＰＳ３１０で検出した位置から加速度センサなどにより携帯端末装置１０１によって継続的に地理的現在位置を算出してもよい。
【００３４】
方位受信部６０７は、携帯端末装置１０１の方位、すなわち携帯端末装置１０１が、どの方向を向いているかを示す方位をＸ軸、Ｙ軸、Ｚ軸の成分毎の値を受信する。
【００３５】
視野角受信部６０８は、携帯端末装置１０１の画像撮像部（図３の３１１）が撮影可能な視野角を、例えば角度として受信するものである（後述の図１４の１４０７を参照）。
【００３６】
撮像画像受信部６０９は、携帯端末装置１０１の画像撮像部（図３の３１１）が撮影した画像を受信する。
【００３７】
距離算出部６１１は、受信部６０３で受信した情報に基づき携帯端末装置１０１から遠距離にある画像表示装置（例えば図５の１０３ａ〜１０３ｄ）の距離を算出するものである。このために画像表示装置の情報として、位置記憶部６２３に位置情報（地理的位置に関する情報）を記憶してもよい。あるいは画像情報装置側にＧＰＳなどを備えて随時、位置情報を取得してもよい。
【００３８】
方位算出部６１２は、受信部６０３で受信した情報から得られる携帯端末装置１０１が向いている方位と、遠距離にある画像表示装置（例えば図５の１０３ａ〜１０３ｄ）が向いている方位の差を算出する。このために画像表示装置の情報として、方位記憶部６２４に方位情報を記憶してもよい。あるいは画像情報装置側に方位センサなどを備えて随時、方位情報を取得してもよい。
【００３９】
画像データ記憶部６２１には、本発明で画像表示装置及び携帯端末装置１０１に表示する画像データが格納されている。
【００４０】
スケール記憶部６２２は、遠距離にある画像表示装置に表示されている画像のサイズ（例えばインチ）が、画像データ記憶部６２１に格納されている画像データのサイズ（例えばピクセル数）の何ピクセルに相当するかを表すスケール値を記憶する。ただし単位はあくまで例であり、比率を算出できればいかなるものであってもよい。
【００４１】
分割サイズ算出部６１３、分割領域決定部６１４は、距離算出部６１１、方位算出部６１２が算出した値、スケール値、視聴者（携帯端末装置の所持者）の位置などに基づき、画像データ記憶部６２１に格納されている画像データから分割するサイズと、画像データのどの領域を分割するかを決定する。
【００４２】
分割画像生成部６１５は、分割サイズ算出部６１３、分割領域決定部６１４で決定された分割サイズと分割領域に基づき、実際に画像データから分割画像を切り取り、また携帯端末装置１０１のディスプレイに表示されるためのサイズに調整する。
【００４３】
分割画像送信部６１６は、分割画像生成部６１５で生成した画像を、携帯端末装置１０１に送信する。
【００４４】
次に図１２のフローチャートを説明するための概念として、図７〜図９により、携帯端末装置と画像表示装置の距離、視距離、携帯端末のディスプレイサイズの関係について説明する。
【００４５】
図７は、画像表示装置における画像のサイズと、携帯端末装置のディスプレイの表示サイズと、距離の関係を説明するための図である。
【００４６】
以下、画像表示装置及び携帯端末装置のディスプレイに表示される画像を視聴するので、携帯端末装置の所持者を視聴者ということにする。視聴者７０１、視聴者７１１については、両者が所持している携帯端末装置１０１ａ、携帯端末装置１０１ｂのディスプレイは、遠方にある画像表示装置に対し同じ方位を向いており、サイズは等しいとする。また、視距離７０４、視距離７１４も等しいとする。
【００４７】
図７の通り、両視聴者が携帯端末装置を同じ位置（例えば目の位置から水平）、同じ方位で持てば、視聴者にとって携帯端末装置のディスプレイにより隠される角度７０３と角度７１３も等しくなる。
【００４８】
視聴者にとって、携帯端末のディスプレイに表示される画像は、携帯端末のディスプレイと仮想表示領域７００とオーバーラップする部分となる。これは、視聴者の目から見て、（携帯端末装置の本体ではなく）携帯端末装置のディスプレイにより隠される部分と一致する。すなわち、視聴者７０１にとっては領域７０６が携帯端末装置１０１ａのディスプレイに表示され、視聴者７１１にとっては領域７１６が携帯端末装置１０１ｂのディスプレイに表示されると、仮想表示領域７００にある画像表示装置と携帯端末装置のディスプレイの表示が適切に分割されているように体感される。
【００４９】
これを式で表すと、図７の視聴者７０１の場合、“（視距離７０４＋距離７０５）／視距離７０４×携帯端末装置１０１ａのディスプレイサイズ”が領域７０６のサイズとなる。
【００５０】
ここで、携帯端末装置１０１ａと携帯端末装置１０１ｂのディスプレイサイズは等しく、視距離７０４と視距離７１４は等しいので、領域７０６と領域７１６のサイズは、“視距離７０４＋距離７０５”と“視距離７１４＋距離７１５”の比となる。
【００５１】
すなわち、視距離が変わらない場合、携帯端末装置のディスプレイに表示される領域のサイズは、視聴者から仮想表示領域７００内の画像表示装置までの距離に正比例する。
【００５２】
次に図８は、画像表示装置における画像のサイズと、携帯端末装置のディスプレイのサイズと、視距離の関係を説明するための図である。
計算式に関しては図７と同一のものを使える。
【００５３】
つまり“（視距離＋距離）／視距離×携帯端末装置のディスプレイサイズ”が領域のサイズを計算するための式であるので、“視距離”のみを変更する場合、“１／視距離”が領域のサイズに比例する。すなわち、“視距離”と“領域のサイズ”は反比例する。
【００５４】
図８で説明すると、視距離８０４と視距離８１４に対して、領域８０６と領域８１６のサイズとが反比例することがわかる。
【００５５】
図７〜図８では、縦方向のサイズを例としているが、横方向についても同様である。
【００５６】
図９は、携帯端末装置のディスプレイに表示するための画像サイズを決定する処理を説明するための図である。
【００５７】
再度、前述の式“（視距離＋距離）／視距離×携帯端末装置のディスプレイサイズ”を用いる。
【００５８】
このサイズは、携帯端末装置のディスプレイにオーバーラップする領域９０４の画像サイズ（例えばインチ）を求めるものである。
【００５９】
ここで、この画像サイズが、画像データ記憶部６２１に記憶されている画像データにおいてはいかなるサイズ（例えばピクセル数）に相当するかを、スケール記憶部６２２に記憶されるスケール値にて表す。
【００６０】
前述式はこれにより“（視距離＋距離）／視距離×携帯端末装置のディスプレイサイズ×スケール値”で表される。
【００６１】
図９によると、視距離９０１、距離９０２、携帯端末装置１０１のディスプレイのサイズが分かれば、領域９０４のサイズ（例えばインチ）が分かり、前述の式により画像データ９０５上での部分画像９０６のサイズ（例えばピクセル）が算出される。
【００６２】
以上、距離については、携帯端末装置と画像表示装置について説明してきたが、画像表示装置が複数ある場合については、複数の距離が算出されてしまう。この場合、例えば（１）画像表示装置のうち１つを基準として定め、常にその画像表示装置との距離を測定し処理する、（２）近距離にある画像表示装置が携帯端末装置に一番近いとして処理をする、（３）各画像表示装置との距離を平均して使用する、（４）画像表示装置の位置として図３の位置記憶部６２３に記憶する位置情報（地理的位置に関する情報）値は、特定の画像表示装置のものではなく仮想表示領域として、表示された画像を遠距離から視聴する際に体感される位置情報を記憶する、などが考えられる。これらのうち、あるいは他の方法のいかなる手段によっても画像表示装置の位置が定められるものであればよい。方位記憶部６２４に記憶される方位についても同様である。以下、単に画像表示装置と説明した場合にも、前述の（１）〜（４）のいずれの方式をも用いることが可能である。
【００６３】
引き続き図１２のフローチャートを説明するための概念として、図１０〜図１１により方位および方位差の概念について説明する。
【００６４】
図１０は、画像表示装置と携帯端末装置の方位差を説明するための図である。本図では、携帯端末装置１０１ａと仮想表示領域１００２あるいは仮想表示領域に含まれる画像表示装置の両ディスプレイが、いずれも視聴者に対して垂直な方向に向いている。この場合に、両者のディスプレイの方位差はないと考える。
【００６５】
一方、携帯端末装置１０１ｂのディスプレイは、仮想表示領域１００４あるいは仮想表示領域に含まれる画像表示装置の両ディスプレイと角度１００５の方位差があると考える。
【００６６】
本図は、情報から俯瞰したものであり１つの軸のみの概念図であるが、実際にはＸ軸、Ｙ軸、Ｚ軸の３つを考えてもよい。
【００６７】
なお、図３の方位センサ３０９、図６の方位受信部、そして本図１０の説明においてＸ軸、Ｙ軸、Ｚ軸の３つの軸として方位を説明したが、これらは方位センサの方式により必ずしも軸という概念でなくともよく、また必ずしも３次元方向全ての測定ができなくともよい。例えば、仮想表示領域の縦のサイズが、携帯端末装置のディスプレイの縦サイズと比して大きくない場合には、携帯端末装置を上下に動かした場合（視聴者が空を仰ぐ、あるいは地面を見るような角度）の軸は不要な場合があり、視聴者の体を軸として右回り、左回りの方位さえ感知できるか、あるいは他の方位を感知していても利用しなくともよい。前記記述に関して、仮想表示領域の横のサイズと、携帯端末装置のディスプレイの横サイズに関しても同様である。
【００６８】
図１１は、携帯端末装置のディスプレイに表示する画像に遠近感を出すための斜変形処理を説明するための図である。
【００６９】
仮想表示領域１１０１に対して携帯端末装置１０１ａを方位差がない場合、携帯端末装置１０１ａのディスプレイには、図示の通り、ｃ２〜ｃ５が表示される。
【００７０】
ここで、携帯端末装置１０１ｂのように左方向に向けた場合、ｃ１〜ｃ３が表示される。この際、方位が変わることで単に表示領域が変わるだけではなく、携帯端末装置１０１ｃのディスプレイに表示されるように、遠い方（ディスプレイ内の左側）ほど、縦側に縮小して表示され、従ってより広い範囲が表示されるよう、遠近感を出すための斜変形処理を行ってもよい。
【００７１】
以上の概念に基づき、図１２の説明を行う。図１２は、第１実施形態において携帯端末装置に画像を表示する処理のフローチャートを示す図である。
【００７２】
ステップＳ１２０１からステップＳ１２０７までは、携帯端末装置の処理側である。ステップＳ１２１１からステップＳ１２１９までは、画像表示制御サーバ側の処理である。
【００７３】
また、１２００の点線で囲まれた部分は、図１５のフローチャートで同一の部分があり、図１５では説明を省略する部分である。
【００７４】
ステップＳ１２０１では、携帯端末装置のディスプレイの表示情報、すなわちサイズ、解像度を取得する。
【００７５】
ステップＳ１２０２では、視野距離を取得する。正確には視聴者の目と携帯端末装置のディスプレイを正面に置いた場合の距離となる。デフォルト値を記憶していてもよいが、腕の長さ、腕の伸ばし方によっても変わるため、例えば携帯端末装置をいったん目に近づけて視距離をリセットし、それ以降は加速度センサなどにより、視距離を随時算出してもよい。
【００７６】
ステップ１２０３では、携帯端末装置の地理的現在位置を取得する。ＧＰＳを用いてもよいし、携帯端末装置がインターネットや電話として公衆回線に接続する際の基地局に基づいて地理的現在位置を取得してもよい。インターネットや公衆回線の場合は建物の中などにも無線ＬＡＮの基地局などがあり、ＧＰＳが機能しない建物内でも使用できるといったメリットもある。
【００７７】
また通常はＧＰＳを用い、ＧＰＳが使用できない場合には加速度センサで継続的に位置情報を調整してもよい。
【００７８】
ステップＳ１２０４では、方位センサにより、携帯端末装置が向いている方位を取得する。
【００７９】
ステップＳ１２０５では、ステップＳ１２０１〜ステップＳ１２０４で取得した情報、すなわち携帯端末装置の表示情報（サイズ、解像度）、視距離、地理的現在位置、方位を、携帯端末装置から画像表示制御サーバに送信する。
【００８０】
ステップＳ１２１１では、携帯端末装置におけるステップＳ１２０５で送信された情報、すなわち携帯端末装置の表示情報（サイズ、解像度）、視距離、地理的現在位置、方位を受信する。
【００８１】
ステップＳ１２１２では、ステップＳ１２１１で受信した携帯端末装置の地理的現在位置と画像表示制御サーバの位置記憶部に記憶されている値に基づき、携帯端末装置と画像表示装置の距離を算出する。
【００８２】
ステップＳ１２１３では、図１０で説明したとおり、携帯端末装置と画像表示装置の方位差を算出する。
【００８３】
ステップＳ１２１４では、図７、図８で説明したとおり、視聴者から見て携帯端末装置とオーバーラップする仮想表示領域内の領域のサイズを算出する。図７、図８の説明においては、携帯端末装置のディスプレイが仮想表示領域にオーバーラップしている図を用いたが、実際には、仮想表示領域から外れていてもよい。ここでのサイズ（インチなど）は最終的には次のステップＳ１２１５で画像データから分割する際のサイズ（ピクセル数など）を算出するためのものだからである。
【００８４】
ステップＳ１２１５では、図９で説明したとおり、ステップＳ１２１４で算出した領域のサイズからスケール値を用いて画像データから分割する画像サイズ（例えばピクセル数）を算出する。
【００８５】
ステップＳ１２１６では、携帯端末装置の現在位置、方位差に基づき、画像データ記憶部６２１に記憶されている画像データから、携帯端末装置に表示するために分割する画像領域を決定する。本ステップでは、分割する画像領域の位置を決定するだけではなく、必要ならば距離を調整する。
【００８６】
すなわち、図７、図８では携帯端末と画像表示装置の直線距離を説明したが、分割画像の領域を決定する際には方位差を考慮し三角関数などを用いてオーバーラップする方向の距離を算出する。ただし本発明の応用例として、方位差による調整が不要である場合には、距離の調整をしなくともよい。
【００８７】
ステップＳ１２１７では、画像データ記憶部６２１に記憶されている画像データから、ステップＳ１２１６で決定した領域（位置とサイズ）に基づいて分割画像を抽出する。
【００８８】
ステップＳ１２１８では、前記分割画像を携帯端末装置で表示するためのサイズおよび解像度に調整する。
【００８９】
ステップＳ１２１９では、ステップＳ１２１８で調整した画像を、携帯端末装置に送信する。
【００９０】
ステップＳ１２０６では、ステップＳ１２１９で送信された画像表示制御サーバからの分割画像データを受信し、ステップＳ１２０７では、前記受信した分割画像データを携帯端末装置のディスプレイに表示する。なお、図１２のフローチャートはあくまで一例である。以上で図１２のフローチャートの説明を完了する。
【００９１】
〔第２実施形態〕
第１実施形態は、携帯端末装置が備える方位センサ、地理的現在位置検出をするＧＰＳなどにより取得した情報に基づき、携帯端末装置と画像表示装置の方位差、距離を求めた。
【００９２】
第２実施形態では、携帯端末装置が備える画像撮像部（デジタルカメラ。以下、単にカメラという）により撮影した画像を画像表示制御サーバに送信し、画像表示制御サーバは前記画像に基づき、携帯端末装置と画像表示装置の方位差、距離を求める。
以下、図１３〜図１５に基づき、第２実施形態を説明する。
【００９３】
図１３は、携帯端末装置による撮像画像と、携帯端末装置のディスプレイに表示する画像の関係の一例を説明するための図である。
【００９４】
仮想表示領域１３０１において、１０３ａ〜１０３ｄの４つの画像表示装置がある。携帯端末装置１０１のカメラから撮影した撮像画像１３０６は、３つの画像表示装置１０３ｂ〜１０３ｄとオーバーラップしている。
【００９５】
携帯端末装置１０１は、撮像画像１３０６とカメラの視野角を画像表示制御サーバに送信する。画像表示制御サーバは、撮像画像１３０６とカメラの視野角に基づき、携帯端末装置１０１と画像表示装置の距離、方位差を算出する。
【００９６】
距離と方位差が算出できれば、他の処理は第１実施形態と同様である。
【００９７】
図１４は、携帯端末装置による撮像画像に基づき画像表示装置と携帯端末装置の距離を算出する処理を説明するための図である。
【００９８】
携帯端末装置１０１は、撮像画像を画像表示制御サーバに送信し、画像表示制御サーバの画像データ記憶部６２１に記憶されている画像データ１４０３と比較する。すなわち、画像表示制御サーバが受信した撮像画像が、画像データ１４０３の領域１４０２と一致することを判定する。
【００９９】
一致する領域１４０２のサイズ１４０４（ピクセルなど）に対して、スケール記憶部６２２に記憶されているスケール値を用いることで、携帯端末装置１０１で撮影した仮想表示領域１４００において、撮像画像が表示されていた領域１４０６のサイズ（インチなど）が算出される。
【０１００】
画像表示制御サーバは、撮像画像の他に、携帯端末装置１０１のカメラの視野角１４０７を受信する。視野角１４０７のカメラで撮影した撮像画像が、実際には何インチであったかが前述により算出されているので、三角関数などを用いることにより携帯端末装置１０１と仮想表示領域の中にある画像表示装置との距離が算出できる。
【０１０１】
また、図１４は、携帯端末装置１０１と画像表示装置１０３の方位差はないが、方位差がある場合には、撮像画像にゆがみが生じる。
【０１０２】
この場合、例えば縦方向については、撮像画像を複数の縦方向の領域に分割し、それぞれの領域について前述の方法で距離を算出する。左右に方位差がある場合には、複数の縦方向の領域に対応して算出される距離は、それぞれ異なる。これらの値に基づき、既知の画像処理により、携帯端末装置１０１の画像表示装置１０３に対する方位差を判定できる。横方向についても同様である。
【０１０３】
方位差が判明すれば、携帯端末装置１０１と画像表示装置１０３との直線距離が三角関数などを用いて算出される。
【０１０４】
さらに、応用例によっては、方位差を誤差として無視してもよい。また、携帯端末装置１０１を視聴者が支持している状態で、左右のいずれかに傾けて（回転させて）撮影した場合には、画像データ１４０３における領域１４０２も同様に傾いた状態になるが、この角度も方位差に含めてもよい。
【０１０５】
図１４における説明および後述の図１５のフローチャートの説明において、方位差と距離を算出する方法は例であり、撮像画像の領域１４０２と画像データ１４０３比較から、いかなる画像処理を用いても、方位差と距離が算出されればよい。
【０１０６】
図１５は、第２実施携帯において携帯端末装置に画像を表示する処理のフローチャートを示す図である。本フローチャートでは、図１２で説明したフローチャートと同じ処理があり、それらのステップのうち１２００で表された部分の説明を省略する。
【０１０７】
図１５のフローチャートにおいて、ステップＳ１５０１からステップＳ１５０５までは、携帯端末装置における処理である。ステップＳ１５１１からステップＳ１５１５までは、画像表示制御サーバにおける処理である。
【０１０８】
ステップＳ１５０１では、携帯端末装置のディスプレイの表示情報、すなわちサイズ、解像度を取得する。
【０１０９】
ステップＳ１５０２では、視聴者と携帯端末装置のディスプレイとの視距離を取得する。
【０１１０】
ステップＳ１５０３では、携帯端末装置が備える撮影機器、すなわちカメラの視野角を取得する。
【０１１１】
ステップＳ１５０４では、前記カメラが撮影した撮像画像を取得する。
【０１１２】
ステップＳ１５０５では、ステップＳ１５０１〜ステップＳ１５０４で取得した情報、すなわち携帯端末装置の表示情報（サイズ、解像度）、視距離、視野角、撮像画像を画像表示制御サーバに送信する。
【０１１３】
ステップＳ１５１１では、ステップＳ１５０５により送信された情報、すなわち携帯端末装置の表示情報（サイズ、解像度）、視距離、視野角、撮像画像を受信する。
【０１１４】
ステップＳ１５１２では、前記受信した撮像画像を、表示制御サーバの画像データ記憶部６２１に記憶されている画像データと比較し、画像データ内での撮像画像の領域を特定する。
【０１１５】
ステップＳ１５１３では、前記画像データ内での撮像画像の領域のサイズ（ピクセル数など）を取得する。
【０１１６】
ステップＳ１５１４では、図１４で説明したように、ステップＳ１２１５で取得した撮像画像の領域のサイズとスケール記憶部６２２に記憶されているスケール値を用いて、撮像画像の仮想表示領域における画像のサイズ（インチなど）を算出する。
【０１１７】
ステップＳ１５１５では、図１４で説明したように、前記画像のサイズ（インチなど）と視野角に基づき、携帯端末装置と画像表示装置の方位差および距離を算出する。
【０１１８】
さらにフローチャートは図１２の１２００と同一の処理を行う。以上で図１５のフローチャートの説明を完了する。
【０１１９】
また、図１２、図１５におけるフローチャートの処理は、視聴者が携帯端末装置を画像表示装置に向けている間、繰り返し実行されてもよい。それにより、視聴者が携帯端末装置の位置を移動しても、その移動に従って携帯端末装置のディスプレイに表示される分割画像も適切に変化する。
【０１２０】
なお、前述の説明では、分割画像のサイズが、仮想表示領域の中でオーバーラップする領域に表示される画像と同一の大きさであると視聴者が体感するような処理を行ってきた。
【０１２１】
しかし、例えば、携帯端末と仮想表示領域のディスプレイに表示される画像を連携しつつ、望遠、倍率をズームで変更できる処理を伴い、サービスに応じた画像の視聴が体感できるようにしてもよい。
【０１２２】
また、前記分割画像のサイズは、実際の携帯端末装置のディスプレイよりも大きく分割し、携帯端末装置側に表示する際に上下左右に表示されない画像の部分があってもよい。
【０１２３】
例えば、表示されない部分があることで、携帯端末装置の位置に小さな移動があっても、携帯端末側のプログラムで表示している画像の位置調整やサイズ調整が可能となる。
【０１２４】
以上により、画像表示制御システムと、画像表示制御システムを構成する携帯端末装置、画像表示制御サーバ、および処理方法、プログラムの説明を完了する。
【０１２５】
また、本発明の目的は、以下の処理を実行することによって達成される。即ち、上述した実施形態の機能を実現するソフトウェアのプログラムコードを記録した記憶媒体を、システム或いは装置に供給し、そのシステム或いは装置のコンピュータ（またはＣＰＵやＭＰＵ等）が記憶媒体に格納されたプログラムコードを読み出す処理である。
【０１２６】
この場合、記憶媒体から読み出されたプログラムコード自体が前述した実施の形態の機能を実現することになり、そのプログラムコード及び該プログラムコードを記憶した記憶媒体は本発明を構成することになる。
【０１２７】
また、プログラムコードを供給するための記憶媒体としては、次のものを用いることができる。例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭ等である。または、プログラムコードを、ネットワークを介してダウンロードしてもよい。
【０１２８】
また、コンピュータが読み出したプログラムコードを実行することにより、上記実施の形態の機能が実現される場合も本発明に含まれる。加えて、そのプログラムコードの指示に基づき、コンピュータ上で稼動しているＯＳ（オペレーティングシステム）等が実際の処理の一部または全部を行い、その処理によって前述した実施形態の機能が実現される場合も含まれる。
【０１２９】
更に、前述した実施形態の機能が以下の処理によって実現される場合も本発明に含まれる。即ち、記憶媒体から読み出されたプログラムコードが、コンピュータに挿入された機能拡張ボードやコンピュータに接続された機能拡張ユニットに備わるメモリに書き込まれる。その後、そのプログラムコードの指示に基づき、その機能拡張ボードや機能拡張ユニットに備わるＣＰＵ等が実際の処理の一部または全部を行う場合である。
【０１３０】
また、コンピュータが読み出したプログラムコードを実行することにより、前述した各実施の形態の機能が実現される場合も本発明に含まれる。加えて、そのプログラムコードの指示に基づき、コンピュータ上で稼働しているＯＳなどが実際の処理の一部または全部を行い、その処理によって前述した実施の形態の機能が実現する場合も含まれる。
【０１３１】
この場合、上記プログラムは、該プログラムを記憶した記憶媒体から直接、またはインターネット、商用ネットワーク、若しくはローカルエリアネットワーク等に接続された不図示の他のコンピュータやデータベースなどからダウンロードすることにより供給される。
【０１３２】
上記プログラムの形態は、オブジェクトコード、インタプリタにより実行されるプログラムコード、ＯＳ（オペレーティングシステム）に供給されるスクリプトデータ等の形態から成ってもよい。
【符号の説明】
【０１３３】
１０１  携帯端末装置
１０２  画像表示制御サーバ
１０３  画像表示装置
１０４  ネットワーク
４０１  正面
４０２  ディスプレイ
４０５  画像撮像部の撮影レンズ
４０６  背面
５０３  仮想表示領域
１０１  携帯端末装置
１０２  画像表示制御サーバ
６０３  受信部
６０４  携帯表示情報受信部
６０５  視距離受信部
６０６  地理的現在位置受信部
６０７  方位受信部
６０８  視野角受信部
６０９  撮像画像受信部
６１０  画像生成・送信部
６１１  距離算出部
６１２  方位差算出部
６１３  分割サイズ算出部
６１４  分割領域決定部
６１５  分割画像生成部
６１６  分割画像送信部
６２１  画像データ記憶部
６２２  スケール記憶部
６２３  位置記憶部
６２４  方位記憶部
【図１】
0005811534.tif 000002
【図２】
0005811534.tif 000003
【図３】
0005811534.tif 000004
【図４】
0005811534.tif 000005
【図５】
0005811534.tif 000006
【図６】
0005811534.tif 000007
【図７】
0005811534.tif 000008
【図８】
0005811534.tif 000009
【図９】
0005811534.tif 000010
【図１０】
0005811534.tif 000011
【図１１】
0005811534.tif 000012
【図１２】
0005811534.tif 000013
【図１３】
0005811534.tif 000014
【図１４】
0005811534.tif 000015
【図１５】
0005811534.tif 000016